(57)【要約】【課題】利用者が過去の占い情報を検索及び閲覧することができ、かつ、利用者が要求する表示方法で取得することができる占い情報再配信システム及び方法を提供する。【解決手段】占い情報サーバ２は、占い情報配信業者の端末４，５，６から項目ごとに占い情報を毎日取得して蓄積する。利用者端末１は、予め利用者の生年月日や血液型などとともに占い情報配信業者の端末４，５，６を指定して占い情報サーバ２に登録する。利用者が占い情報を得たい場合、占い情報を知りたい期間を利用者端末１から入力して、この期間における占い情報配信業者の端末４，５，６の占い情報を取得する。利用者がブログを開設しているブログサーバ３は、利用者端末１からの指示により、毎日利用者の占い情報を占い情報サーバ２から取得してブログに書き込み、ブログアクセス時に占い情報を表示する。【選択図】図１
2006314426.tif 000002
【特許請求の範囲】
【請求項１】
占いに関する情報を配信する少なくとも一つの端末と、
前記端末からの占いに関する情報を一定期間ごとに取得して蓄積するサーバと、
利用者に関する情報とともに前記端末を指定して前記サーバに登録し、所定の期間が入力されると、前記期間における前記占いに関する情報を前記端末から取得する利用者端末とを具えることを特徴とする占い情報再配信システム。
【請求項２】
前記利用者端末からの指示により、一定期間ごとに利用者の占い情報を前記占い情報サーバから取得してブログに書き込み、ブログアクセス時に占い情報を表示する他のサーバを更に具えることを特徴とする請求項１記載の占い情報再配信システム。
【請求項３】
前記占いに関する情報を、数値的に処理可能な情報を含む形式としたことを特徴とする請求項１又は２記載の占い情報再配信システム。
【請求項４】
占いに関する情報を少なくとも一つの端末から配信するステップと、
前記端末からの占いに関する情報を一定期間ごとに取得してサーバに蓄積するステップと、
利用者端末が、利用者に関する情報とともに前記端末を指定して前記サーバに登録し、所定の期間が入力されると、前記期間における前記占いに関する情報を前記端末から取得するステップとを具えることを特徴とする占い情報再配信方法。
【請求項５】
前記利用者端末からの指示により、一定期間ごとに利用者の占い情報を前記占い情報サーバから取得してブログに書き込み、ブログアクセス時に占い情報を表示することを特徴とする請求項４記載の占い情報再配信方法。
【請求項６】
前記占いに関する情報を、数値的に処理可能な情報を含む形式としたことを特徴とする請求項４又は５記載の占い情報再配信方法。
【発明の詳細な説明】
【技術分野】
【０００１】
本発明は、インターネットなどを用いて公開される占いに関する情報（以下、「占い情報」という。）を再配信する占い情報再配信システム及び方法に関する。
【背景技術】
【０００２】
近年、インターネットなどを用いて、一定期間（例えば、毎日）ごとに占い情報が配信されている（例えば、特許文献１）。しかしながら、占い情報はその日、その場限りであり、過去の占い情報を確認することができない。また、インターネットのホームページでは、過去にテレビで放映された占い結果を見ることができる（例えば、非特許文献１参照）。
【特許文献１】特開２００２−２５１５６９号
【非特許文献１】“今日の占いカウントダウン過去ログ、[online]、２００５年３月２８日、ｍｅｌｍａ！ｂｌｏｇ、［２００５年３月２８日検索］、インターネット<URL: http://blog.melma.com/00108365/>
【発明の開示】
【発明が解決しようとする課題】
【０００３】
しかしながら、利用者はホームページにアクセスする必要があり、占い結果を提供するのは１社のみであり、表示方法が固定化されており、かつ、利用者が要求する方法での表示ができない。
【０００４】
本発明の目的は、利用者が過去の占い情報を検索及び閲覧することができ、かつ、利用者が要求する表示方法で取得することができる占い情報再配信システム及び方法を提供することである。
【課題を解決するための手段】
【０００５】
本発明による占い情報再配信システムは、
占いに関する情報を配信する少なくとも一つの端末と、
前記端末からの占いに関する情報を一定期間ごとに取得して蓄積するサーバと、
利用者に関する情報とともに前記端末を指定して前記サーバに登録し、所定の期間が入力されると、前記期間における前記占いに関する情報を前記端末から取得する利用者端末とを具えることを特徴とする。
【０００６】
本発明による占い情報再配信方法は、
占いに関する情報を少なくとも一つの端末から配信するステップと、
前記端末からの占いに関する情報を一定期間ごとに取得してサーバに蓄積するステップと、
利用者端末が、利用者に関する情報とともに前記端末を指定して前記サーバに登録し、所定の期間が入力されると、前記期間における前記占いに関する情報を前記端末から取得するステップとを具えることを特徴とする。
【発明の効果】
【０００７】
本発明によれば、利用者は、現在の占い情報のみならず過去の占い情報も検索、閲覧できる利点がある。また、利用者は、複数の占い配信事業者の占い情報を一度に閲覧でき、複数の占い配信事業者の占い情報が数値処理された結果を要求する表示形式で取得でき、過去から現在までの運勢グラフなどにより今後の運勢を予測できる等、占い情報をより有効に活用できる利点がある。また、利用者が公開したホームページ又はブログに占い情報を公開することができ、第三者からアドバイスなどを受けられる利点がある。さらに、過去の占い情報から利用者に適合する占い情報配信業者を選定することができる利点がある。
【発明を実施するための最良の形態】
【０００８】
本発明による占い情報再配信システム及び方法の実施の形態を、図面を参照して詳細に説明する。
図１は、本発明による占い情報再配信システムの構成を示す図である。図１において、１は利用者端末を表し、２は占い情報サーバを表し、３はブログサーバを表し、４，５，６は，互いに相違する占い情報配信業者の端末をそれぞれ表し、７は、利用者の知人の端末を表し、これらはネットワークによって互いに結合されている。
【０００９】
占い情報サーバ２は、占い情報配信業者の端末４，５，６から総合運、恋愛運、金運、健康運、仕事運等の項目ごとに占い情報を毎日取得して蓄積する。利用者端末１は、予め利用者の生年月日や血液型などとともに占い情報配信業者の端末４，５，６を指定して占い情報サーバ２に登録する。
【００１０】
利用者が占い情報を得たい場合、占い情報を知りたい期間を利用者端末１から入力して、この期間における占い情報配信業者の端末４，５，６の占い情報を取得する。利用者がブログを開設しているブログサーバ３は、利用者端末１からの指示により、毎日利用者の占い情報を占い情報サーバ２から取得してブログに書き込み、ブログアクセス時に占い情報を表示する。
【００１１】
また、（占い情報を知りたい）過去の年月日を利用者のブログ画面に入力して、過去の占い情報を取得することもできる。さらに、利用者のブログ閲覧を許可された利用者の知人が、ブログを知人端末７から閲覧し、ブログ画面に表示された占い情報を見てアドバイスを記入することができる。
【００１２】
図２は、利用者端末における占い情報表示の一例を示す図である。図２において、１１は占い対象期間を表し、１２は占い項目を表し、１３は期間内の総合運勢（平均点）を表し、１４，１５，１６は、各占い配信業者の占い情報を表す。
【００１３】
占い対象期間１１は、１月１日から１月１８日までの１８日間となっているが、１日だけでもよい。占い項目ごとの運勢は、１０点満点の点数で表示されており、配信業者Ａの占い情報１４によれば、恋愛運は１０点と最高であり、金運は８点であり、健康運は６点であり、占い情報１４の総合運（平均点）は８点である。
【００１４】
同様に、占い情報１５によれば、恋愛運、金運、健康運は共に３点であり、総合運も３点である。占い情報１６によれば、恋愛運は８点であり、金運は７点であり、健康運は６点であり、総合運は７点である。各占い情報の総合運（平均点）１３は、全体の総合が６点であり、恋愛運が８点であり、金運が６点であり、健康運が５点である。また「配信業者Ａ」をマウスでクリックすれば、この配信事業者の占い情報の詳細を閲覧することができる。
【００１５】
図３は、利用者端末における占い情報表示の他の例を示す図である。図３では、００年１月１日から１月１８日までの金運について各占い情報の数値をグラフ化して表示したものである。図３において、２１は総合運（平均）グラフを表し、２２は配信業者Ａの占い情報グラフを表し、２３は配信業者Ｂの占い情報グラフを表し、２４は配信業者Ｃの占い情報グラフを表す。
【００１６】
このようなグラフ表示によって、１日だけの占い情報ではわからない運勢を読み取ることができる。また、例えば１月１０日に買った宝くじが大当たりした場合、その日の金運点を高く占った配信業者Ｃの占い情報２４は、利用者に合致する運勢を占っていると想定できる。
【００１７】
それに対して、その日の金運点を低く占った配信業者Ｂの占い情報２３は、利用者には合致しない運勢を占っていると想定でき、今後、配信業者Ｂの占い情報２３を排除するように占い情報サーバへ指示することができる。さらに、配信業者Ｃの占い情報２４から１月１６日以降は金運が上昇しており、宝くじ購入のチャンス到来を予想できる。
【００１８】
図４は、利用者が開設しているブログ画面の一例を示す図である。図４において、３１は、利用者が記入した日記画面を表し、３２は友人の書き込み画面を表し、３３は、利用者の指定によりブログサーバが占い情報サーバから取得した利用者の占い情報を表す。
【００１９】
一定期間ごとにブログサーバ３が占い情報サーバ２から取得した利用者の占い情報３３は、利用者が開設しているブログ画面に書き込まれる。利用者が日記画面３１をウェブに記入し、日記画面３１及び占い情報３３を見た友人が書き込み画面３２に助言を書き込むことができることを示している。
【００２０】
図５は、利用者端末、ブログサーバ、占い情報サーバ及び占い情報配信業者の端末間の動作及び情報転送シーケンスを示す図である。ａ１〜ａ５は、以下の動作及び情報転送を表す。
ａ１：占い情報サーバ２は、占い情報配信業者の端末４，５，６から総合運、恋愛運、金運、健康運、仕事運等の項目ごとに占い情報を毎日取得して蓄積する。
ａ２：利用者端末１は、予め利用者の生年月日や血液型などとともに占い情報配信業者の端末４，５，６を指定して占い情報サーバ２に登録する。
ａ３：利用者が占い情報を得たい場合、占い情報を知りたい期間を利用者端末１から入力して、この期間における占い情報配信業者の端末４，５，６の占い情報を取得する。
ａ４：利用者がブログを開設しているブログサーバ３は、毎日利用者の占い情報を占い情報サーバ２から取得してブログに書き込み、ブログアクセス時に占い情報を表示する。
【００２１】
本発明は、上記実施の形態に限定されるものではなく、幾多の変更及び変形が可能である。
例えば、占い情報サーバは、少なくとも一つの占い情報配信業者端末から一定期間ごとの占い情報を数値的に処理可能な情報を含む形式で受信及び蓄積し、利用者端末が検索条件を指定して占い結果の配信を要求した場合に、占い情報サーバが蓄積していた占い情報を検索条件に従って検索して、数値的に処理した結果及び／又は占い配信業者ごとの占い情報を占い結果として利用者端末へ送信することができる。この場合、利用者端末が指定する占い検索条件に、占い配信業者、利用者の氏名、生年月日、血液型、占い期間及び占い結果の表示方法のうちの少なくとも一つを有する。
【００２２】
また、占い情報サーバは、利用者が指定する形式で占い結果を該利用者が公開しているホームページサーバ又はブログサーバに送信して、利用者が公開しているホームページ又はブログに公開することもできる。
【産業上の利用可能性】
【００２３】
本発明は、インターネットなどを用いた占い情報を中心とした情報提供産業に利用可能である。
【図面の簡単な説明】
【００２４】
【図１】本発明による占い情報再配信システムの構成を示す図である。
【図２】利用者端末における占い情報表示の一例を示す図である。
【図３】利用者端末における占い情報表示の他の例を示す図である。
【図４】利用者が開設しているブログ画面の一例を示す図である。
【図５】、利用者端末、ブログサーバ、占い情報サーバ及び占い情報配信業者の端末間の動作及び情報転送シーケンスを示す図である。
【符号の説明】
【００２５】
１  利用者端末
２  占い情報サーバ
３  ブログサーバ
４，５，６  占い情報配信業者の端末
７  利用者の知人の端末
１１  占い対象期間
１２  占い項目
１３  期間内の総合運勢（平均点）
１４，１５，１６  占い情報
２１  総合運（平均）グラフ
２２，２３，２４  占い情報グラフ
３１  利用者が記入した日記画面
３２  友人の書き込み画面
３３  利用者の占い情報
【図１】
2006314426.tif 000003
【図２】
2006314426.tif 000004
【図３】
2006314426.tif 000005
【図４】
2006314426.tif 000006
【図５】
2006314426.tif 000007